(57)【要約】      （修正有）【課題】はがきを返信する場合、はがきの秘匿したい箇所を簡単に秘匿出来るようにしたはがきを提供する。【解決手段】はがきが、はがき本体２と、はがき本体の一方の側辺部に設けられた秘匿シール部と、はがき本体の他方の縦側辺部に設けられた接着部７とからなり、はがき本体は、左側面と中央の面を接着したことからなり、かつ接着部とはがき本体との間にはミシン目６，８が設けられていること、当該秘匿シール部は、折り線を中心に一方の片面部と他方の片面部とからなり、一方の片面部の裏面及び他方の片面部の裏面に剥離剤が塗布されている部分と剥離可能な接着剤が塗布されている部分とが交互に配列されること、剥離剤が塗布されている部分と剥離可能な接着剤とが一方の片面部の裏面及び他方の片面部の裏面とでは互いに齟齬した位置に配列されるように設けられることからなる。【選択図】図１ａ
0003109152.tif 000002
【実用新案登録請求の範囲】
【請求項１】
はがきが、はがき本体（１１）と、はがき本体（１１）の周囲の一方の縦側辺部に設けられた秘匿シール部（１２）と、当該はがき本体（１１）の他方の縦側辺部に設けられた接着部（１７）とからなり、当該秘匿シール部（１２）は折り線（１３）を中心に一方の片面部（１４）と他方の片面部（１５）とからなり、一方の片面部（１４）の裏面及び他方の片面部（１５）の裏面に剥離剤が塗布されている部分（２１）と剥離可能な接着剤が塗布されている部分（２０）とが交互に配列されること、剥離剤が塗布されている部分（２１）と剥離可能な接着剤（２０）とが一方の片面部（１４）の裏面及び他方の片面部（１５）の裏面とでは互いに齟齬した位置に配列されるように設けられること、一方の片面部（１４）の裏面と他方の片面部（１５）の裏面におけるそれぞれの対応する位置の剥離剤が塗布されている部分（２１）と剥離可能な接着剤が塗布されている部分（２０）とが互いに重合し、接着すること、からなることを特徴とする秘匿シール部を有する返信用はがき。
【請求項２】
前記秘匿シール部を有する返信用はがきが本に綴じられていることを特徴とする請求項１記載の秘匿シール部を有する返信用はがき。
【考案の詳細な説明】
【技術分野】
【０００１】
本考案は、秘匿シール又は秘匿シール部を有する返信用はがき付き印刷物、及び秘匿シール部を有する返信用はがきに関する。
【背景技術】
【０００２】
従来、広告用チラシ等にはがきの右、又は左側の縦側辺部に剥離可能に接着する接着部が設けられ、この接着部を剥がすことにより簡単に広告用チラシ等からはがきを剥がすことが出来る技術があった。又はがきと接着部との間にはミシン目が設けられ、このミシン目によりはがきを接着部から切り離すことが出来るようになっていた。
【考案の開示】
【考案が解決しようとする課題】
【０００３】
しかし、従来技術では広告等にはがきが剥離可能に接着されていても、はがきの内容等を秘匿するシール等は有しておらず、したがって秘匿したい箇所があっても秘匿せずはがきを返信するということが行われていた。
【０００４】
そこで、本考案の目的は、はがきを返信する場合、はがきの秘匿したい箇所を簡単に秘匿出来るようにしたはがきを提供することを目的とする。
【課題を解決するための手段】
【０００５】
本考案の秘匿シールを有する返信用はがき付き印刷物は、
はがきの一方の縦側辺部に印刷用紙に剥離可能に接着する接着部が設けられ、当該縦側辺部と接着部との間にはミシン目が設けられていることからなる返信用はがき付き印刷物において、
当該はがきが、はがき本体と、はがき本体の周囲の所定の箇所に剥離可能に秘匿シールが接着されている台紙部とからなり、はがき本体と台紙部との間にはミシン目が設けられていることからなる。
【０００６】
又、本考案の秘匿シール部を有する返信用はがき付き印刷物は、
はがきの一方の縦側辺部に印刷用紙に剥離可能に接着する接着部が設けられ、当該縦側辺部と接着部との間にはミシン目が設けられていることからなる返信用はがき付き印刷物において、
当該はがきが、はがき本体と、はがき本体の周囲の所定の箇所に設けられた秘匿シール部とからなり、当該秘匿シール部は折り線を中心に一方の片面部と他方の片面部とからなり、一方の片面部の裏面及び他方の片面部の裏面に剥離剤が塗布されている部分と剥離可能な接着剤が塗布されている部分とが交互に配列されること、剥離剤が塗布されている部分と剥離可能な接着剤とが一方の片面部の裏面及び他方の片面部の裏面とでは互いに齟齬した位置に配列されるように設けられること、一方の片面部の裏面と他方の片面部の裏面におけるそれぞれの対応する位置の剥離剤が塗布されている部分と剥離可能な接着剤が塗布されている部分とが互いに重合し、接着すること、からなる。
【０００７】
又、本考案の秘匿シール部を有する返信用はがきは、
はがきが、はがき本体と、はがき本体の周囲の一方の縦側辺部に設けられた秘匿シール部と、当該はがき本体の他方の縦側辺部に設けられた接着部とからなり、当該秘匿シール部は折り線を中心に一方の片面部と他方の片面部とからなり、一方の片面部の裏面及び他方の片面部の裏面に剥離剤が塗布されている部分と剥離可能な接着剤が塗布されている部分とが交互に配列されること、剥離剤が塗布されている部分と剥離可能な接着剤とが一方の片面部の裏面及び他方の片面部の裏面とでは互いに齟齬した位置に配列されるように設けられること、一方の片面部の裏面と他方の片面部の裏面におけるそれぞれの対応する位置の剥離剤が塗布されている部分と剥離可能な接着剤が塗布されている部分とが互いに重合し、接着すること、からなる。
【０００８】
又、本考案の秘匿シール部を有する返信用はがきは、
はがきが、はがき本体と、はがき本体の一方の側辺部に設けられた秘匿シール部と、はがき本体の他方の縦側辺部に設けられた接着部とからなり、当該はがき本体は、左側面と中央の面を接着したことからなり、かつ接着部とはがき本体との間にはミシン目が設けられていること、当該秘匿シール部は、折り線を中心に一方の片面部と他方の片面部とからなり、一方の片面部の裏面及び他方の片面部の裏面に剥離剤が塗布されている部分と剥離可能な接着剤が塗布されている部分とが交互に配列されること、剥離剤が塗布されている部分と剥離可能な接着剤とが一方の片面部の裏面及び他方の片面部の裏面とでは互いに齟齬した位置に配列されるように設けられること、一方の片面部の裏面と他方の片面部の裏面におけるそれぞれの対応する位置の剥離剤が塗布されている部分と剥離可能な接着剤が塗布されている部分とが互いに重合し、接着すること、からなる。
【０００９】
又、前記秘匿シールを有する返信用はがき付き印刷物が本に綴じられていることが好適である。
又、前記秘匿シール部を有する返信用はがき付き印刷物が本に綴じられていることが好適である。
又、前記請求項３記載の秘匿シール部を有する返信用はがきが本に綴じられていることが好適である。
又、前記請求項４記載の秘匿シール部を有する返信用はがきが本に綴じられていることが好適である。
又、前記秘匿シール部を有する返信用はがきの接着部が、印刷用紙の所定の箇所に接着していることが好適である。
【考案の効果】
【００１０】
本考案は以上の構成を有するので、はがきの秘匿したい箇所を手間をかけずに簡単に秘匿出来、かつ個人情報の保護にも適するものである。
【考案を実施するための最良の形態】
【００１１】
本考案の実施の形態の一例を図面にしたがって説明する。
【００１２】
図１ａは印刷物に秘匿シール付き台紙部３を有する返信用はがきが剥離可能に接着する状態を示している。
印刷物には広告用チラシ又はある機関、組合、団体等がその構成員にアンケート用紙等何等かの回答を要求する返信用はがき付き印刷物等がある。
【００１３】
はがき本体２と台紙部３の下の紙４は１枚の紙で作成されており、台紙部３の上の紙５の裏面は剥離可能な接着剤が塗布されていて下の紙４と剥離可能に接着するようになっている。はがき本体２と台紙部３の下の紙４との間にはミシン目６が設けられている。はがき本体２と台紙部３とからなるはがきの右側の縦側辺部には印刷用紙１に剥離可能に接着する接着部７が設けられ、当該はがきと接着部７の間にはミシン目８が設けられている。
【００１４】
はがき本体２と台紙部３は印刷用紙１と接着していない。接着部７に示されている図面符号９は穴であるが、場合により穴９を設けなくても良い。はがき本体２には宛先（送信先）の住所、名称、担当の係等が記載され、又差出人の住所、氏名、性別、年令及びアンケートの内容等必要事項が記載されている。
【００１５】
図１ｂは台紙部３の下の紙４から上の紙５を剥がす状態を示している図であり、図１ｃは上の紙５を下の紙４から剥がして、はがき本体２の秘匿したい箇所に接着する状態を示している図である。したがって上の紙５が秘匿シールとなるものである。
図１ｄは、はがき本体２と台紙部３を印刷用紙から剥がす状態を示している。この図１ｄにおいては図１ｃにて上の紙５がはがき本体２の秘匿したい箇所に接着しているので台紙部３は下の紙４のみになっている。
図１ｅは、はがき本体２と台紙部３の下の紙４をミシン目６に沿って切り取り、さらに、はがき本体２と接着部７とをミシン目８に沿って切り取った状態を示している。又、接着部７は、はがき本体を切り離すことが出来れば良いので印刷用紙１と剥離不能に接着していても良いが剥離可能にしている方がより好適である。
【００１６】
図２ａは印刷物に秘匿シール部１２を有する返信用はがき付き印刷物を示している。
印刷物には広告用チラシ又はある機関、組合、団体等がその構成員にアンケート用紙等何等かの回答を要求する返信用はがき付き印刷物がある。
【００１７】
はがき本体１１と秘匿シール部１２は１枚の紙で作成されており、当該秘匿シール部１２は一方の片面部（図面では上面部）１４，他方の片面部（図面では下面部）１５からなっている。はがき本体１１と秘匿シール部１２とからなるはがきの右側の縦側辺部には印刷用紙１０に剥離可能に接着する接着部１７が設けられ、当該はがきと接着部１７との間にはミシン目１８が設けられている。
【００１８】
はがき本体１１と秘匿シール部１２は印刷用紙１０と接着していない。接着部１７に示されている図面符号１９は穴であるが、場合により穴９を設けなくても良い。
はがき本体１１には宛先（送信先）の住所、名称、担当の係等が記載され、又差出人の住所、氏名、性別、年令及びアンケートの内容等必要事項が記載されている。
【００１９】
図２ｂは秘匿シール部１２を折り線１３を基にして開いた状態を示している。秘匿シール部１２には折り線１３を中心に上面部（一方の片面部）１４と下面部（他方の片面部）１５とからなり、上面部１４の裏面及び下面部１５の裏面に剥離剤が塗布されている部分２１と剥離可能な接着剤が塗布されている部分２０とが交互に配列され、剥離剤が塗布されている部分２１と剥離可能な接着剤が塗布されている部分２０とが上面部１４の裏面と下面部１５の裏面とでは互いに齟齬した位置に配列されるように設けられ、上面部１４の裏面と下面部１５の裏面におけるそれぞれ対応する位置の剥離剤が塗布されている部分２１と剥離可能な接着剤が塗布されている部分２０とが互いに重合し、接着するものである。したがって上面部１４と下面部１５は接着した後にも剥離可能である。
【００２０】
図２ｃは秘匿シール部１２を開いた状態で折り線１６を基にして秘匿シール部１２を矢印方向へ折る状態を示している。
折り線１６を基にして秘匿したい箇所に秘匿シール部１２を剥離可能に接着するものである。
折り線１６は本図面ではミシン目ではないが場合によりミシン目であっても良い。
【００２１】
図２ｄは秘匿シール部１２が接着しているはがき本体１１を印刷用紙１０から剥がす状態を示している。
はがき本体１１の裏面には接着剤が塗布されていないので簡単に剥がすことが出来る。
又、接着部１７は、はがき本体１１を切り離すことが出来れば良いので印刷用紙１０と剥離不能に接着していても良いが、剥離可能にしている方がより好適である。
【００２２】
図２ｅは印刷用紙１０から秘匿シール部１２が接着しているはがき本体１１及び接着部１７をミシン目１８に沿って切り取った状態を示している。
【００２３】
図３ａは１枚の紙から作成される秘匿シール部２２を有するはがきの展開図である。
図中、左側面２３の裏面には剥離不能な接着剤が塗布されており、図３ｂに、示す如く左側面２３は折り線２４’を基にして中央の面２７に折り重なり、剥離しないように接着するものである。左側面２３及び中央の面２７には折り線２４’を中心に対照的な位置にミシン目２５，２６が設けられていて左側面２３と中央の面２７が接着したときに互いに重なりあい、本考案のはがきが本等に無線綴じ等の方法で綴じられた場合、このミシン目２５，２６にそって本等からはがきを切り取るものである。又折り線２４’の部分が糊付けされ本に綴じられる部分であるが、折り線２４’とミシン目２５，２６の間が接着部２４をなすものである。
【００２４】
右側面は秘匿シール部２２をなすものであり、折り線２９を中心に一方の片面部（図面では左側面）３０，他方の片面部（図面では右側面）３１とからなり左側面３０の裏面及び右側面３１の裏面に剥離剤が塗布されている部分３３と剥離可能な接着剤が塗布されている部分３２とが交互に配列され、剥離剤が塗布されている部分３３と剥離可能な接着剤が塗布されている部分３２とが左側面３０の裏面と右側面３１の裏面とでは互いに齟齬した位置に配列されるように設けられ、左側面３０の裏面と右側面３１の裏面におけるそれぞれ対応する位置の剥離剤が塗布されている部分３３と剥離可能な接着剤が塗布されている部分３２とが折り線２９を中心に互いに重合し、接着するものである。したがって左側面３０と右側面３１は接着した後にも剥離可能である。
【００２５】
図３ｂは中央の面２７に左側面２３が重なろうとする状態及び秘匿シール部２２の右側面３１が折り線２９を基にして左側面３０に重なろうとする状態を示す図であり、図３ｃは中央の面２７に左側面２３が重なり剥離不能に接着し、はがき本体をなし、秘匿シール部２２の右側面３１が左側面３０に重なり剥離可能に接着した、秘匿シール部２２を有する返信用はがきの出来上がった状態を示す図である。
図３ｂ及び図３ｃの左側面２３の表面には差出人の住所、氏名、性別、年令、内容等必要事項が記載されている。又、折り線２８は本図面ではミシン目ではないが場合によりミシン目であっても良い。
【００２６】
図３ｄは図３ｃに示される返信用はがきが無線綴じで本３６に綴じられている状態を示し、ミシン目２５に沿ってはがきを切り取り図３ｅに示す如く秘匿シール部２２を開いて図３ｆに示す如くはがき本体の表面、即ち左側面２３の表面に接着させるものである。
又、図示していないが秘匿シール部を有する返信用はがきは本に綴じるだけでなく、図１ａ，図２ａに示されているのと同様に印刷物に接着部２４を接着して使用することが出来るものである。この場合、接着部２４の裏面には剥離可能又は剥離不能の接着剤が塗布されているが、剥離可能な接着剤が好適である。
【００２７】
図３ｅは秘匿シール部２２を左側面２３に剥離可能に接着しようとする状態を示す図である。
図３ｂ，図３ｃにみられるように左側面２３と中央の面２７は剥離不能に接着し、はがき本体をなす。はがき本体の裏面に相当する左側面２３に、秘匿シール部２２の左側面３０と右側面３１を開いた状態にして、秘匿シール部２２をはがき本体に相当する左側面２３に接着する。
【００２８】
図３ｆは秘匿シール部２２をはがき本体に相当する左側面２３に接着した状態を示す図であり、
図３ｇはミシン目２５，２６に沿って切り取ったはがき本体の表面を示す図であり、宛先（送信先）の住所、名称、担当の係等が記載されている。
【００２９】
図４は図１ａに示される秘匿シールを有する返信用はがき付き印刷物が本３４に綴じられている状態を示している。
図５は図２ａに示される秘匿シール部を有する返信用はがき付き印刷物が本３５に無線綴じで綴じられている状態を示している。
図６は図２ｂに示される返信用はがきの接着部１７が本３５に接着している状態を示している。
【００３０】
このように本考案は本に綴じて使用することも出来るものである。
ここで、本に綴じる綴じ方としては、無線綴じでなくその他の綴じ方でも良いが、無線綴じが好適である。
又、本考案において印刷物及びはがき等の空白の部分には広告等必要な事項を印刷するものである。
又、本考案において、はがき本体とは、はがきそのもののことをいい、はがきとは、はがき本体に設けられている秘匿シール、秘匿シール部、接着部等の付属物を含んでいるものをいう。
【図面の簡単な説明】
【００３１】
【図１ａ】印刷物に秘匿シール付き台紙部を有する返信用はがきが剥離可能に接着する状態を示す図である。
【図１ｂ】台紙部の下の紙から上の紙を剥がす状態を示している図である。
【図１ｃ】上の紙を下の紙から剥がしてはがき本体の秘匿したい箇所に接着する状態を示す図である。
【図１ｄ】はがき本体と台紙部を印刷用紙から剥がす状態を示す図である。
【図１ｅ】はがき本体と台紙部の下の紙をミシン目に沿って切り取り、さらにはがき本体と接着部とをミシン目に沿って切り取った状態を示す図である。
【図２ａ】印刷物に秘匿シール部を有する返信用はがき付き印刷物を示す図である。
【図２ｂ】秘匿シール部を折り線を中心に開いた状態を示す図である。
【図２ｃ】秘匿シール部を開いた状態で折り線を基にして秘匿シール部を矢印方向へ折る状態を示す図である。
【図２ｄ】秘匿シール部が接着しているはがき本体を印刷用紙から剥がす状態を示す図である。
【図２ｅ】印刷用紙から秘匿シール部が接着しているはがき本体及び接着部をミシン目に沿って切った状態を示す図である。
【図３ａ】一枚の紙から作成される秘匿シール部を有するはがきの展開図である。
【図３ｂ】中央の面に左側面が重なろうとする状態及び秘匿シール部の右側面が左側面に重なろうとする状態を示す図である。
【図３ｃ】秘匿シール部を有する返信用はがきの出来上がった状態を示す図である。
【図３ｄ】図３ｃに示される秘匿シール部を有する返信用はがきが本に綴じられている状態を示す図である。
【図３ｅ】秘匿シール部を左側面に剥離可能に接着しようとする状態を示す図である。
【図３ｆ】秘匿シール部をはがき本体に相当する左側面に接着した状態を示す図である。
【図３ｇ】ミシン目を切り取ったはがき本体の表面を示す図である。
【図４】図１ａに示される秘匿シールを有する返信用はがき付き印刷物が本に綴じられている状態を示す図である。
【図５】図２ａに示される秘匿シール部を有する返信用はがき付き印刷物が本に綴じられている状態を示す図である。
【図６】図２ｂに示される返信用はがきが本に接着している状態を示す図である。
【符号の説明】
【００３２】
１，１０            印刷用紙
２，１１            はがき本体
３                  台紙部
４                  下の紙
５                  上の紙
６，８，１８        ミシン目
７                  接着部
９，１９            穴
１２，２２          秘匿シール部
１３，１６，２４’  折り線
１４，３０          一方の片面部
１５，３１          他方の片面部
１７                接着部
２０                接着剤が塗布されている部分
２１，３３          剥離剤が塗布されている部分
２３，３０          左側面
２５，２６          ミシン目
３１                右側面
３２                剥離可能な接着剤が塗布されている部分
【図１ａ】
0003109152.tif 000003
【図１ｂ】
0003109152.tif 000004
【図１ｃ】
0003109152.tif 000005
【図１ｄ】
0003109152.tif 000006
【図１ｅ】
0003109152.tif 000007
【図２ａ】
0003109152.tif 000008
【図２ｂ】
0003109152.tif 000009
【図２ｃ】
0003109152.tif 000010
【図２ｄ】
0003109152.tif 000011
【図２ｅ】
0003109152.tif 000012
【図３ａ】
0003109152.tif 000013
【図３ｂ】
0003109152.tif 000014
【図３ｃ】
0003109152.tif 000015
【図３ｄ】
0003109152.tif 000016
【図３ｅ】
0003109152.tif 000017
【図３ｆ】
0003109152.tif 000018
【図３ｇ】
0003109152.tif 000019
【図４】
0003109152.tif 000020
【図５】
0003109152.tif 000021
【図６】
0003109152.tif 000022